(57)【要約】【課題】注出量の調整の簡便性を保持しつつ、固状物等を内容物とする容器に適用可能なスパウト及び当該スパウトが装着された容器を提供する。【解決手段】基部２０と、該基部２０の頂面２０ｂに立設されると共に放出孔２３を有する注出筒２１を備えたスパウト２において、該基部２０は、薄肉縁部２６ａと該薄肉縁部２６ａを口縁とする口部２４が形成された底部２６と、該口部２４及び該放出孔２３とを連通する様に形成された導入孔２５とを有しており、該導入孔２５は、該口部２４と連続する幅広端部２５ｂを有している。【選択図】図３
2014227208.tif 000002
【特許請求の範囲】
【請求項１】
基部と、該基部の頂面に立設されると共に放出孔を有する注出筒を備えたスパウトにおいて、
該基部は、薄肉縁部と該薄肉縁部を口縁とする口部が形成された底部と、該口部及び該放出孔とを連通する様に形成された導入孔とを有しており、
該導入孔は、該口部と連続する幅広端部を有していることを特徴とするスパウト。
【請求項２】
前記基部の底部には、補強縁部が更に形成されており、
前記口部は、前記薄肉縁部と共に該補強縁部を口縁とするものであることを特徴とする請求項１に記載のスパウト。
【請求項３】
前記導入孔は、前記放出孔と連続する縮径部が更に形成されており、
前記幅広端部の傾斜角と、該縮径部の傾斜角とが、
θ２＜θ１＜９０°（但し、θ１：該縮径部の傾斜角、θ２：該基端部の傾斜角、とする）
を満たすことを特徴とする請求項１又は２に記載のスパウト。
【請求項４】
前記補強部は、前記基部底部の長軸両端側に形成され、
前記補強縁部は、該底部の短軸両端側に形成されていることを特徴とする請求項１乃至３の何れかに記載のスパウト。
【請求項５】
請求項１乃至４の何れかに記載されたスパウトと、
開口部を有し、該開口部に該スパウトの基部側面が溶着される容器本体とを備えた容器であって、
該容器は、細長形状の固状物をその内容物とするものであることを特徴とするスパウトが装着された容器。
【請求項６】
前記容器本体は、そのコーナー部に開口部を有するものであることを特徴とする請求項５に記載のスパウトが装着された容器。
【発明の詳細な説明】
【技術分野】
【０００１】
本発明は、スパウト及びスパウトが装着された容器に関し、特に、横長形状の固状物の注出に適用可能なスパウト及びスパウトが装着された容器に関する。
【背景技術】
【０００２】
主に液状物やゲル状物を内容物とするパウチ等の容器の注出口として、スパウトが用いられている。これらスパウトは、当該容器の開口部に溶着されることで取り付けられる（例えば、特許文献１を参照）。
【先行技術文献】
【特許文献】
【０００３】
【特許文献１】特開２００４−２０３４８９号公報
【発明の概要】
【発明が解決しようとする課題】
【０００４】
しかしながら、特許文献１に記載されたスパウトが装着された容器においては、当該スパウトは、液状物やゲル状物等（以下、液状物等という）の比較的にその形状が自由に変形可能な内容物を想定した構造となっており、固状物等のその形状を自由に変形させることが困難な内容物については想定されてこなかった。
【０００５】
通常、スパウトは、基部と注出筒を有しており、基部の外面を容器本体の開口部に溶着することで取り付けられるが、そのため、スパウトを容器に装着した際に、スパウトの底部形成された口部と容器との間に段差が生じてしまう。当該段差は、内容物が液状物等である場合には、段差に合わせて内容物が変形可能であるため問題とはならないが、内容物が固状物等である場合は、そこで内容物の流動が阻害され、内容物の注出に支障が生じる可能性があった。
【０００６】
特に、内容物が、針状物や棒状物といった細長形状の固状物等の場合は、当該流動の阻害によってその配向が乱されてしまう。従って、従来のスパウトは、内容物が細長形状の固状物である場合、配向が乱された内容物によって、スパウトの注出筒が詰まってしまう可能性があるという問題があり、従来のスパウトを、固状物等を内容物とする容器に適用することは困難であった。
【０００７】
この問題を解決するために単にスパウトをより大きく形成して、注出筒の口径をより大きなものとすることが考えられるが、そうすると、一度に多量の内容物の注出されてしまうこととなり、注出量の調整が困難なものとなってしまう。
【０００８】
従って、本発明は、注出量の調整の簡便性を保持しつつ、固状物等を内容物とする容器に適用可能なスパウト及び当該スパウトが装着された容器を提供することを目的とする。
【課題を解決するための手段】
【０００９】
本発明は、基部と、該基部の頂面に立設されると共に放出孔を有する注出筒を備えたスパウトにおいて、該基部は、薄肉縁部と該薄肉縁部を口縁とする口部が形成された底部と、該口部及び該放出孔とを連通する様に形成された導入孔とを有しており、該導入孔は、該口部と連続する幅広端部を有していることを特徴とするスパウトである。
【００１０】
又、本発明は、前記基部の底部には、補強縁部が更に形成されており、前記口部は、前記薄肉縁部と共に該補強縁部を口縁とするものであることを特徴とするスパウトである。又、本発明は、前記導入孔は、前記放出孔と連続する縮径部が更に形成されており、前記幅広端部の傾斜角と、該縮径部の傾斜角とが、θ２＜θ１＜９０°（但し、θ１：該縮径部の傾斜角、θ２：該基端部の傾斜角、とする）を満たすことを特徴とするスパウトである。又、本発明は、前記補強部は、前記基部底部の長軸両端側に形成され、前記補強縁部は、該底部の短軸両端側に形成されていることを特徴とするスパウトである。
【００１１】
又、本発明は、前記スパウトと、開口部を有し、該開口部に該スパウトの基部側面が溶着される容器本体とを備えた容器であって、該容器は、細長形状の固状物をその内容物とするものであることを特徴とするスパウトが装着された容器である。又、本発明は、前記容器本体は、そのコーナー部に開口部を有するものであることを特徴とするスパウトが装着された容器である。
【００１２】
尚、本発明において、「薄肉」とは、スパウトを容器に装着した際に、細長形状且つ固状の内容物の流動を阻害しない程度にその肉が薄いことを意味するものとする。又、「細長形状」とは、一辺の長さが他辺の長さよりも倍以上長いものを意味するものとし、針状及び棒状その他形状が含まれるものとする。
【発明の効果】
【００１３】
本発明のスパウトは、基部の底部に形成された口部の口縁が薄肉となっているため、該スパウトを容器に装着した際に、該口部と該容器内面との間に、内容物の流動を阻害する程の段差が生じないため、例え、内容物が細長形状の固状物であったとしても、その配向が乱されることを防止することが可能である。そのため、該スパウトは、固状物等を内容物とする容器に適用可能となっている。
【図面の簡単な説明】
【００１４】
【図１】本発明の第１及び第２実施形態の斜視略図である。
【図２】本発明の第１実施形態の底面略図である。
【図３】図２のIII-III線における断面図である。
【図４】図２及び図７のIV−IV線における断面図である。
【図５】本発明の実施形態を示す図であり、スパウトが装着された容器の一例を示す図である。
【図６】本発明の第２実施形態の底面略図である。
【図７】図６のVII−VII線における断面図である。
【発明を実施するための形態】
【００１５】
本発明の第１実施形態を、図１乃至図５により説明する。スパウトが装着された容器１（以下、容器１ともいう）は、スパウト２と容器本体３を備えている。容器本体３は、パウチ等の袋状の容器であり、その端部３０に開口部３１が形成されている。
【００１６】
スパウト２は、基部２０及び基部２０の頂部２０ｂから立設された注出筒２１を備える。注出筒２１は、放出孔２３を有していている筒体である。放出孔２３は、その先端側開口が内容物を容器外に注出するための注出口２２となっており、その基端が導入孔２５と連続しており、導入孔２５から内容物を受け入れる受入口２３ａとなっている（尚、本発明において、先端及び基端は内容物の流通方向によって定めるものとし、上流側が基端と、下流側が先端と定義する）。又、その外面２１ａは、公知の形態を採用することが可能であり、例えば、蓋体４を螺着するための螺条（図示せず）等を形成することができる。
【００１７】
基部２０は、底面視略舟形に形成され（尚、本発明において、略舟形とは、楕円の長径端を三角形状に窄ませた形と定義する）、その底部２６には全周に亘って薄肉縁部２６ａが形成されていると共に薄肉縁部２６ａを口縁とする口部２４が形成されている。又、基部２０には、口部２４と放出孔２３の受入口２３ａとを連通する様に形成された導入孔２５が、貫設されている。尚、基部２０の側面２０ａの形状は、適宜に公知の形態を採用することができる。
【００１８】
導入孔２５は、放出孔２３へと内容物を導入するために形成され、放出孔２３の受入口２３ａと連続する縮径部２５ａ及び口部２４と連続する幅広端部２５ｂを有する。導入孔２５は末広がりの略ラッパ形状となっており、縮径部２５ａの傾斜角θ１と幅広端部２５ｂの傾斜角θ２との関係はθ２＜θ１＜９０°となっている。即ち、導入孔２５は、口部２４側より放出孔２３側に向かって２段階で縮径していく形状となっている。
【００１９】
本実施形態においては、縮径部２５ａは全周に亘って傾斜しているが、対向する一方の面、好ましくは、傾斜角θ１の調整が容易な長軸両端側が傾斜していればよい。尚、導入孔２５は、本実施形態の様に傾斜角の相違する２つの平面で形成することができるが、曲面で形成することも可能である。但し、導入孔２５が曲面で形成されている場合の傾斜角θ１，θ２は、その接線の傾斜角で定義するものとする。
【００２０】
スパウト２は、容器本体３の開口部３１に基部２０の側面２０ａを溶着することで、容器本体３に取り付けられる。スパウト２の取付位置は適宜選択することが可能であるが、好ましくは、開口部３１は容器本体３の端部３０におけるコーナー部３０ａに形成される。
【００２１】
容器１の内容物としては、例えば、茶葉等の細長形状の固状物を選択することができる。先ず、内容物は、口部２４の口縁が薄肉縁部２６ａとなっていることで、口部２４と容器本体３との間の段差を極力抑えることが可能である。それによって、内容物の配向の乱れが低減され、初期の配向が維持されたまま、導入孔２５から放出孔２３を通って、容器１の外部に注出されるので、内容物が注出筒２１に詰まることが防止される。
【００２２】
又、導入孔２５が、幅広端部２５ｂから縮径部２５ａへと傾斜角度が段階的に大きくなっていくことによって、それでも生じてしまった配向の乱れは整えられるため、内容物が放出孔２３に詰まることを更に防止することができる。
【００２３】
この際、スパウト２が容器本体３のコーナー部３０ａに斜めに取り付けられていることで、より内容物の流れが潤滑なものとなり、より内容物が放出孔２３に詰まることを防止することができる。
【００２４】
本発明の第２実施形態を、図１、図４、図６及び図７に基づき説明する。第１実施形態との相違は、基部２０の底部２６に補強縁部２６ｂを形成したことである。他の部分については、第１実施形態と同様であるので説明を省略する。
【００２５】
基部２０の底部２６には、一方の軸両端側に補強縁部２６ｂが、他方の軸両端側に薄肉縁部２６ａが各々対向する様に形成されており、補強縁部２６ｂ及び薄肉縁部２６ａを口縁とする口部２４Ｂが形成されている。好ましくは、補強縁部２６ｂは、最も内容物の注出に影響を与えにくいと考えられる長軸両端側に形成される。又、縮径部２５ａは、その対抗する一方の面のみが傾斜する様に形成される場合は、補強縁部２６ｂが形成された側の面が傾斜する様に形成される。
【００２６】
本実施形態では、薄肉縁部２６ａと共に補強縁部２６ｂを設け、少なくとも、縮径部２５ａの補強縁部２６ｂが形成された側の面を傾斜させることで、内容物の配向が乱されることを防止しつつ、スパウトの材料が比較的可撓性の高い樹脂であっても製品として必要な強度を確保することが可能である。即ち、補強縁部２６ｂによって、スパウト２を補強することで、容器本体３に溶着する際に必要な強度を確保しつつ、内容物の配向が乱されたとしても、導入孔２５によって、その乱れを整流することが可能である。
【００２７】
以上、本発明を上記実施形態により説明したが、本発明は上記実施形態に限定されるものではなく、発明の要旨を変更しない範囲で適宜変更可能である。
【符号の説明】
【００２８】
１      容器                ２      スパウト            ２０    基部
２０ａ  側面                ２０ｂ  頂部                ２１    注出筒
２１ａ  外面                ２２    注出口              ２３    放出孔
２３ａ  受入口              ２４    口部                ２５    導入孔
２５ａ  縮径部              ２５ｂ  幅広端部            ２６    底部
２６ａ  薄肉縁部            ２６ｂ  補強縁部            ３      容器本体
３０    端部                ３０ａ  コーナー部          ３１    開口部
４      蓋体                θ      傾斜角
【図１】
2014227208.tif 000003
【図２】
2014227208.tif 000004
【図３】
2014227208.tif 000005
【図４】
2014227208.tif 000006
【図５】
2014227208.tif 000007
【図６】
2014227208.tif 000008
【図７】
2014227208.tif 000009